(57)【要約】【課題】竿体をフック内の係合空間に挿入しやすく、かつフック外側にも抜去しやすくし、しかも、強風の際も上下方向に揺動することなくフックが竿体から脱落しない脱落防止機能付き衣類用ハンガーを提供する。【解決手段】衣類用ハンガーは、衣類を吊下げるハンガー本体の上部中央部にハンガー本体を竿体に吊下げるためのＣ型状のフックを突設し、Ｃ型状のフックの切欠開口部に対応して、弾性湾曲部よりなる竿体挟持杆を配設し、竿体挟持杆の基端部はハンガー本体の上部に固設し、竿体挟持杆の弾性湾曲部は、フックの切欠開口部の開口幅員を調節すると共に竿体をフックと協働してフック間において挟持固定すべく構成している。【選択図】  図１
2011239826.tif 000002
【特許請求の範囲】
【請求項１】
衣類を吊下げるハンガー本体の上部中央部にハンガー本体を竿体に吊下げるためのＣ型状のフックを突設した衣類用ハンガーにおいて、
Ｃ型状のフックの切欠開口部に対応して、弾性湾曲部よりなる竿体挟持杆を配設し、
竿体挟持杆の基端部はハンガー本体の上部に固設し、
竿体挟持杆の弾性湾曲部は、フックの切欠開口部の開口幅員を調節すると共に竿体をフックと協働してフック間において挟持固定すべく構成した
ことを特徴とする脱落防止機能付き衣類用ハンガー。
【請求項２】
竿体挟持杆は、フック中途位置にて交差しつつ先端部がフックの外方に位置する構造としていることを特徴とする請求項１に記載の脱落防止機能付き衣類用ハンガー。
【請求項３】
竿体挟持杆は、弾性変形可能な材質で構成し、竿体をフックへの取り付けの際には、竿体を竿体挟持杆の弾性湾曲部に当接させながらさらに押込み同竿体挟持杆を弾性変形させて、上方のフックの内周面に竿体を当接すると、竿体挟持杆は弾性復帰しつつ弾性湾曲部が竿体に当接して支持すべく構成している
ことを特徴とする請求項２に記載の脱落防止機能付き衣類用ハンガー。
【請求項４】
竿体挟持杆の弾性湾曲部及び／又はフック内周面には、竿体の周面と同じ曲率を有する窪み部が形成される
ことを特徴とする請求項１から３の何れか１項に記載の脱落防止機能付き衣類用ハンガー。
【請求項５】
竿体挟持杆の弾性湾曲部には、竿体の下面の位置決めを行う突部が形成される。
ことを特徴とする請求項１から４の何れか１項に記載の脱落防止機能付き衣類用ハンガー。
【発明の詳細な説明】
【技術分野】
【０００１】
本発明は、ハンガー竿体に衣類を掛けて吊るす際に用いる衣類用ハンガーに係り、詳しくは風や外力によってハンガー竿体から衣類用ハンガーが脱落するのを防止する脱落防止機能付き衣類用ハンガーに関する。
【背景技術】
【０００２】
従来、竿体からフック付きのハンガーが風等に揺られて落下しないように、脱落防止機能付きの衣類用ハンガーが多数考案されている。例えば、特許文献１に示すように、ハンガー本体の略中央に立設したフックの切欠開口部を全部閉塞する付勢アームを復元自在に配設し、この付勢アームが切欠開口部を全部閉塞している状態では竿体の抜け止めがなされるように構成している。
【０００３】
すなわち、フック内に竿体を挿入係合する場合は、竿体に付勢アームの先端を当接させて、付勢アームの先端を下方より押上げるとフックの切欠開口部が開放状態となり、フック内係合空間に竿体を挿入するものである。
【先行技術文献】
【特許文献】
【０００４】
【特許文献１】特開２０１０−８２０６６号公報
【発明の開示】
【発明が解決しようとする課題】
【０００５】
しかしながら、かかる従来の脱落防止機能付き衣類用ハンガーにおいては、竿体を切欠開口部からフック内係合空間に挿入した後に、シャツ等を吊るして使用することとなるが、強風の際に、ハンガー自体が上下方向に踊ってしまう虞があった。すなわち、竿体がフック内の係合空間に挿通された状態において、竿体の直径より係合空間が大きいため、ハンガー自体が上下方向に揺動してしまい、付勢アームを押し開いて、落下してしまう問題があった。
【０００６】
そこで、本発明は、竿体をフック内の係合空間に挿入しやすく、かつフック外側にも抜去しやすくし、しかも、強風の際も上下方向に揺動することなくフックが竿体から脱落しない脱落防止機能付き衣類用ハンガーを提供することを目的とする。
【課題を解決するための手段】
【０００７】
上記目的を達成するため、請求項１に記載の発明は、衣類を吊下げるハンガー本体の上部中央部にハンガー本体を竿体に吊下げるためのＣ型状のフックを突設した衣類用ハンガーにおいて、Ｃ型状のフックの切欠開口部に対応して、弾性湾曲部よりなる竿体挟持杆を配設し、竿体挟持杆の基端部はハンガー本体の上部に固設し、竿体挟持杆の弾性湾曲部は、フックの切欠開口部の開口幅員を調節すると共に竿体をフックと協働してフック間において挟持固定すべく構成したことを特徴とする。
【０００８】
請求項２に記載の発明は、請求項１に記載の脱落防止機能付き衣類用ハンガーにおいて、竿体挟持杆は、フック中途位置にて交差しつつ先端部がフックの外方に位置する構造としていることを特徴とする。
【０００９】
請求項３に記載の発明は、請求項２に記載の脱落防止機能付き衣類用ハンガーにおいて、竿体挟持杆は、弾性変形可能な材質で構成し、竿体をフックへの取り付けの際には、竿体を竿体挟持杆の弾性湾曲部に当接させながらさらに押込み同竿体挟持杆を弾性変形させて、上方のフック内周面に竿体を当接すると、竿体挟持杆は弾性復帰しつつ弾性湾曲部が竿体に当接して支持すべく構成していることを特徴とする。
【００１０】
請求項４に記載の発明は、請求項１から３の何れか１項に記載の脱落防止機能付き衣類用ハンガーにおいて、竿体挟持杆の弾性湾曲部及び／又はフック内周面には、竿体の周面と同じ曲率を有する窪み部が形成されることを特徴とする。
【００１１】
請求項５に記載の発明は、請求項１から４の何れか１項に記載の脱落防止機能付き衣類用ハンガーにおいて、竿体挟持杆の弾性湾曲部には、竿体の下面の位置決めを行う突部が形成されることを特徴とする。
【発明の効果】
【００１２】
本発明の請求項１に記載の脱落防止機能付き衣類用ハンガーによれば、衣類を吊下げるハンガー本体の上部中央部にハンガー本体を竿体に吊下げるためのＣ型状のフックを突設した衣類用ハンガーにおいて、Ｃ型状のフックの切欠開口部に対応して、弾性湾曲部よりなる竿体挟持杆を配設し、竿体挟持杆の基端部はハンガー本体の上部に固設し、竿体挟持杆の弾性湾曲部は、フックの切欠開口部の開口幅員を調節すると共に竿体をフックと協働してフック間において挟持固定すべく構成している。竿体挟持杆を開閉してハンガー本体を竿体に取り付けた際に、竿体挟持杆を構成する弾性湾曲部がフックと協働してフック間において竿体を挟持固定することができ、風等の影響を受けてもハンガー本体の揺動を抑えて、フック内側に挿入した竿体からフックは容易に脱落しない効果がある。また、フックの切欠開口部を開閉自在となす竿体挟持杆により、竿体をフック内側に挿入しやすく、かつフック外側にも抜去しやすくすることが可能となる効果がある。
【００１３】
本発明の請求項２に記載の脱落防止機能付き衣類用ハンガーによれば、竿体挟持杆は、フック中途位置にて交差しつつ先端部がフックの外方に位置する構造としている。したがって、ハンガー本体を竿体に取付ける場合は、竿体挟持杆の先端部を下方に押下げることで、竿体挟持杆が湾曲して、フックの切欠開口部を全開となるように開放し、竿体をフック内に挿入し易くすることができる効果がある。また、フックから竿体を取り外す場合は、竿体挟持杆の先端部を下方に押下げることで、竿体挟持杆が湾曲して、フックの切欠開口部が全開し、容易に竿体の抜去を容易に行うことができる効果がある。
【００１４】
本発明の請求項３に記載の脱落防止機能付き衣類用ハンガーによれば、竿体挟持杆は、弾性変形可能な材質で構成し、竿体をフックへの取り付けの際には、竿体を竿体挟持杆の弾性湾曲部に当接させながらさらに押込み同竿体挟持杆を弾性変形させて、上方のフック内周面に竿体を当接すると、竿体挟持杆は弾性復帰しつつ弾性湾曲部が竿体に当接して支持すべく構成している。したがって、ハンガー本体をフックを介して竿体に取付ける場合は、竿体挟持杆の先端部を押下げることで竿体挟持杆の弾性湾曲部の始端側がハンガー本体の上部を支点に弾性変形しつつ湾曲して、フックの切欠開口部を全開となるように開放し、竿体をフック内に挿入し易くすることができる効果がある。フック内周面が竿体に当接すると、竿体挟持杆はフックの弾性湾曲部の内方へ復帰するように揺動し、竿体挟持杆の弾性湾曲部が竿体の下面に当接して、すなわち、竿体にはフックと竿体挟持杆の弾性湾曲部が当接してその係合状態を維持することとなる。ハンガー本体が風等で大きく煽られても、ハンガー本体の上下方向に揺動しないため、ハンガー本体が竿体から脱落することを防止することができる。さらに、フックから竿体を取り外す場合は、竿体挟持杆の先端部を押下げることで竿体挟持杆の弾性湾曲部の始端側がハンガー本体の上部を支点に弾性変形しつつ湾曲して、フックの切欠開口部を全開となるように開放し、フックの係合空間から竿体の抜去を容易に行うことができる。
【００１５】
本発明の請求項４に記載の脱落防止機能付き衣類用ハンガーによれば、竿体挟持杆の弾性湾曲部及び／又はフック内周面には、竿体の周面と同じ曲率を有する窪み部が形成されるので、竿体にフックを取り付けた際に、窪み部に竿体の周面が嵌着するため、嵌着状態を強固に維持することができる効果がある。
【００１６】
本発明の請求項５に記載の脱落防止機能付き衣類用ハンガーによれば、竿体挟持杆の弾性湾曲部には、竿体の下面の位置決めを行う突部が形成されるので、竿体にフックを取り付けた際に、両突部間に竿体の下面が挟持されるため、竿体の下面の竿体挟持杆への位置決めができ、より係合状態を強固に維持することができる効果がある。
【図面の簡単な説明】
【００１７】
【図１】本発明に係る実施形態の脱落防止機能付き衣類用ハンガーを示す斜視図である。
【図２】本発明に係る実施形態の脱落防止機能付き衣類用ハンガーを示す斜視図である。
【図３】本発明に係る実施形態の脱落防止機能付き衣類用ハンガーを示す正面図である。
【図４】本発明に係る実施形態の脱落防止機能付き衣類用ハンガーを示す平面図である。
【図５】本発明に係る実施形態の脱落防止機能付き衣類用ハンガーの取り付け形態を示す説明図である。
【図６】本発明に係る実施形態の脱落防止機能付き衣類用ハンガーの取り付け形態を示す説明図である。
【図７】本発明に係る実施形態の脱落防止機能付き衣類用ハンガーの取り付け形態を示す説明図である。
【図８】本発明に係る実施形態の脱落防止機能付き衣類用ハンガーの取り外し形態を示す説明図である。
【図９】本発明に係る実施形態の脱落防止機能付き衣類用ハンガーの取り外し形態を示す説明図である。
【図１０】本発明に係る実施形態の変形例１の脱落防止機能付き衣類用ハンガーを示す説明図である。
【図１１】本発明に係る他の実施形態の変形例１の脱落防止機能付き衣類用ハンガーの取り付け形態を示す説明図である。
【図１２】本発明に係る実施形態の変形例２の脱落防止機能付き衣類用ハンガーの要部を示す説明図である。
【発明を実施するための形態】
【００１８】
本発明に係る脱落防止機能付き衣類用ハンガーは、衣類を吊下げるハンガー本体の上部中央部にハンガー本体を竿体に吊下げるためのＣ型状のフックを突設した衣類用ハンガーにおいて、Ｃ型状のフックの切欠開口部に対応して、弾性湾曲部よりなる竿体挟持杆を配設し、竿体挟持杆の基端部はハンガー本体の上部に固設し、竿体挟持杆の弾性湾曲部は、フックの切欠開口部の開口幅員を調節すると共に竿体をフックと協働してフック間において挟持固定すべく構成している。
【００１９】
ハンガー本体は、フックに連設して正面視略台形状とした上部と、上部に連設して上着を掛けるべく緩やかに傾斜した左肩部と右肩部と、この両肩部に一体的に形成すると共にズボンを吊るす空間を備えた連結部とを有している。
【００２０】
竿体挟持杆は、逆Ｃ型状に形成されており、フック中途位置にて交差しつつ先端部がフックの外方に位置する構造としている。また、逆Ｃ型状の竿体挟持杆は、弾性変形可能な材質で構成し、竿体をフックへの取り付けの際には、竿体を竿体挟持杆の弾性湾曲部に当接させながらさらに押込み同竿体挟持杆を弾性変形させて、上方のフックの内周面に竿体を当接すると、竿体挟持杆は弾性復帰しつつ弾性湾曲部が竿体に当接して支持すべく構成している。
【００２１】
この竿体挟持杆は、ハンガー本体を竿体に吊下げた際に、竿体の周面のうち下方に位置する下面と当接するように形成している。すなわち、ハンガー本体は風に煽られて常に竿体挟持杆の弾性湾曲部が竿体の下面に当接して同ハンガー本体を支持するため、フック内側に挿入した竿体からフックは容易に脱落しない。
【００２２】
また、竿体挟持杆は、フックの切欠開口部を一部狭めた位置で停止状態となるように上部に連設される。すなわち、竿体挟持杆は、フックの切欠開口部の開口幅員を３分の２を閉じた状態で停止するように構成している。
【００２３】
ハンガー本体をフックを介して竿体に取付ける場合は、竿体を竿体挟持杆の弾性湾曲部に当接してさらに斜め上方向に押込むと、竿体挟持杆はハンガー本体の上部側を支点に竿体挟持杆自体が弾性変形して大きく湾曲することで下方に押下げられ、フックの切欠開口部を全開となるように開放し、竿体をフック内に挿入する。
【００２４】
そして、竿体挟持杆の弾性湾曲部はフック内に挿入された竿体の下面に当接した状態となり、すなわち、フックの切欠開口部の開口幅員が３分の１閉じた位置となる。このとき、風等でハンガー本体が煽られても、ハンガー本体が上下方向に揺動しないため、竿体から脱落することを防止することができる。
【００２５】
フックから竿体を取り外す場合は、竿体挟持杆の先端部を下方に押下げると、ハンガー本体の上部を支点に竿体挟持杆自体が弾性変形して大きく湾曲することでフックの切欠開口部の開口幅員が３分の１閉じられた位置から全開し、容易に竿体の抜去が行えるものである。そして、竿体挟持杆の弾性変形の復元力により、竿体挟持杆は元通り停止位置で停止し、すなわち、フックの切欠開口部の開口幅員を３分の２閉じた停止位置となる。
【００２６】
上述した衣類用ハンガーにおける竿体挟持杆の弾性湾曲部及び／又はフック内周面に竿体の周面と同じ曲率を有する窪み部を形成するようにしてもよい。このような窪み部を設けることにより、竿体をフックへの取り付けた際に、窪み部に竿体の周面が係合するため、係合状態を強固に維持することができる。
【００２７】
さらに、衣類用ハンガーにおける竿体挟持杆の弾性湾曲部に竿体の下面の位置決めを行う突部を形成するようにしてもよい。このように竿体挟持杆の弾性湾曲部に突部を設けることにより、竿体にフックを取り付けた際に、両突部間に竿体の下面が挟持されるため、竿体の下面の竿体挟持杆への位置決めができ、より係合状態を強固に維持することができる。
【００２８】
以下、本発明の脱落防止機能付き衣類用ハンガーを適用した実施例を図面に基づいて説明する。
【００２９】
本発明に係る衣類用ハンガーの実施形態について説明する。図１は本発明に係る実施形態の脱落防止機能付き衣類用ハンガーを示す斜視図、図２は本発明に係る実施形態の脱落防止機能付き衣類用ハンガーを示す斜視図、図３は本発明に係る実施形態の脱落防止機能付き衣類用ハンガーを示す正面図、図４は本発明に係る実施形態の脱落防止機能付き衣類用ハンガーを示す平面図である。
【００３０】
本発明に係る実施形態の衣類用ハンガー１は、図１から図４に示すように、衣類を吊り下げるハンガー本体２の上部中央部にＣ型状のフック３を突設している。さらに、略台形状の上部４には、Ｃ型状のフック３の切欠開口部５に対応して、弾性湾曲部６ｂよりなる逆Ｃ型状の竿体挟持杆６を備えている。すなわち、竿体挟持杆６の基端部６ｃは、ハンガー本体２の上部４の一側端部に固設している。また、竿体挟持杆６の弾性湾曲部６ｂは、竿体挟持杆６を開閉してハンガー本体２を竿体に取り付けた際に、フック３の切欠開口部５の開口幅員を調節すると共に竿体Ｍをフック３と協働してフック３間において挟持固定すべく構成している。
【００３１】
また、逆Ｃ型状の竿体挟持杆６は、フック３中途位置３ｂにて交差しつつ竿体挟持杆６の先端部６ａがフック３中途位置３ｂの外方に位置する構造としている。この先端部６ａは、略半円弧状の弾性湾曲部６ｂの終端側から斜め上方に延伸して構成されている。なお、先端部６ａの長さは、人差し指が引掛け易い長さとしている。
【００３２】
さらに、ハンガー本体２やフック３や竿体挟持杆６は、弾性変形可能な材質で構成しており、樹脂で一体的に成形している。なお、竿体挟持杆６を大きく弾性変形させたい際には、竿体挟持杆６を別部材として形成し、ハンガー本体２の上部４に配設するようにしてもよい。上記弾性変形可能な材質には、合成樹脂を用い、例えば、ポリプロピレン、ポリエチレン、ポリスチレン等を用いるようにしてもよい。
【００３３】
竿体Ｍにフック３を取り付けの際には、竿体Ｍに竿体挟持杆６の弾性湾曲部６ｂを当接させながらさらに押込むと竿体挟持杆６が弾性変形して、上方のフック３内周面が竿体Ｍに当接すると、竿体挟持杆６が弾性復帰しつつ竿体挟持杆６の弾性湾曲部６ｂが竿体Ｍに当接して支持すべく構成している。
【００３４】
すなわち、竿体挟持杆６は、ハンガー本体２を竿体Ｍに吊下げた際に、竿体Ｍの周面のうち下方に位置する下面と当接するように形成している。従って、ハンガー本体２は風に煽られても常に竿体挟持杆６の弾性湾曲部６ｂが竿体Ｍの下面に当接して同ハンガー本体２を支持するため、フック３内側に挿入した竿体から衣類用ハンガー１は容易に脱落しない。
【００３５】
また、竿体挟持杆６は、フック３の切欠開口部５を一部狭めた位置で停止状態となるように右側の上部４（図１参照）に連設される。すなわち、竿体挟持杆６は、切欠開口部５が３分の２閉じた状態で停止されるようにしている。具体的には、このときの切欠開口部５の開口幅員は、竿体Ｍの直径の約３分の１の長さとなる。
【００３６】
ハンガー本体２は、フック３を連設して正面視略台形状とした上部４と、この上部４に連設して上着を掛けるべく緩やかに傾斜した左右肩部２ａ，２ｂと、この両肩部２ａ，２ｂの下部に連設した連結部２ｃを有している。さらに連結部２ｃには、ズボン等を挟持して吊るすための左右挟持部２ｄ，２ｅを連設している。
【００３７】
かかる構成とすることにより、衣類用ハンガー１をフック３を介して竿体Ｍに取付ける場合には、先ず、竿体Ｍに竿体挟持杆６の弾性湾曲部６ｂを当接してさらに斜め上方向に押込むと、竿体挟持杆６がハンガー本体２の上部４側を支点に弾性変形して大きく湾曲することで下方に押下げられ、フック３の切欠開口部５を全開となるように開放し、竿体Ｍにフック３を挿入する。そして、竿体挟持杆６の弾性湾曲部６ｂはフック３の係合空間９に挿入された竿体Ｍの下面に当接しており、風等で衣類用ハンガー１が上下方向に大きく煽られても、衣類用ハンガー１が上下方向に揺動しないため、衣類用ハンガー１が竿体Ｍから脱落することを防止することができる。なお、切欠開口部５が全開している状態の開口幅員の長さとは、竿体Ｍの直径と略同一の長さである。
【００３８】
また、竿体Ｍから衣類用ハンガー１を取り外す場合には、竿体挟持杆６の先端部６ａを下方に押下げると、竿体挟持杆６自体がハンガー本体２の上部４側を支点に弾性変形して大きく湾曲することでフック３の切欠開口部５の開口幅員が３分の１閉じられた状態から全開し、容易に竿体Ｍの抜去が行えるものである。そして、竿体挟持杆６の弾性変形の復元力により、竿体挟持杆６が元通り停止位置で停止し、すなわち、フック３の切欠開口部５の開口幅員を３分の２閉じた状態となる。
【００３９】
衣類用ハンガー１を竿体Ｍに取付ける形態及び衣類用ハンガー１を竿体Ｍから取り外す形態については、以下に詳述する。図５から図９は本発明に係る実施形態の脱落防止機能付き衣類用ハンガーの取り付け形態及び取り外し形態を示す説明図である。
【００４０】
［取り付け形態］
本発明に係る実施形態の衣類用ハンガー１を竿体Ｍに取り付ける形態について説明する。
【００４１】
図５に示すように、ハンガー本体２を水平方向に位置する竿体Ｍに向って移動する。このとき切欠開口部５は、フック３先端３ａと竿体挟持杆６の弾性湾曲部６ｂとの間が３分の２閉じた状態である。すなわち、切欠開口部５の開口幅員は、竿体Ｍの直径の３分の１の長さである。
【００４２】
図６に示すように、ハンガー本体２を竿体Ｍに取り付ける場合は、フック３の外方に位置する竿体挟持杆６の先端部６ａを下方に押下げると竿体挟持杆６の弾性湾曲部６ｂの基端部６ｃ側がハンガー本体２の上部４側を支点にして弾性変形しつつ大きく湾曲して、切欠開口部５が全開となる。このとき竿体Ｍに竿体挟持杆６の弾性湾曲部６ｂを当接してさらに水平方向に押込むと、竿体Ｍがフック３内の係合空間９に挿入される。
【００４３】
図７に示すように、さらに竿体Ｍを全開状態の切欠開口部５から、ハンガー本体２を斜め下方へ押下げるとフック３の係合空間９に竿体Ｍが挿入されて、フック内周面に竿体Ｍが当接した状態となる。竿体挟持杆６の弾性変形の復元力により竿体挟持杆６の弾性湾曲部６ｂが竿体Ｍの下面を下方から押上げるように付勢することとなる。このとき、切欠開口部５は、３分の１閉じた状態となる。
【００４４】
このようにして、衣類用ハンガー１が竿体Ｍに取り付けられることとなる。竿体Ｍに取り付けた衣類用ハンガー１は、常にフック内周面と協働して竿体Ｍの下面を竿体挟持杆６の弾性湾曲部６ｂが当接した状態で取り付けられているので、強風であっても衣類用ハンガー１自体が上下方向に踊ることがなくなるため脱落しない効果がある。
【００４５】
［取り外し形態］
衣類用ハンガー１を竿体Ｍから取り外す際には、図７に示す取り付け状態から始めることとなる。すなわち、図８に示すように、竿体挟持杆６の先端部６ａを下方に押下げると、竿体挟持杆６の弾性湾曲部６ｂの基端部６ｃ側付近が弾性変形することで大きく湾曲して、切欠開口部５が全開となる。このときフック３内周面に竿体Ｍを当接した状態からハンガー本体２を斜め上方へ押上げると、フック３の係合空間９から竿体Ｍが離されることとなる。
【００４６】
図９に示すように、竿体Ｍが全開状態の切欠開口部５から取り出すと、フック３の切欠開口部５は、３分の２閉じた状態となる。すなわち、竿体挟持杆６の弾性変形の復元力により、竿体挟持杆６が元通りの停止位置で停止すべく作動することとなる。
【００４７】
このようにして、衣類用ハンガー１を竿体Ｍから取り外すこととなる。すなわち、竿体挟持杆６の先端部６ａを押下げることで竿体挟持杆６の弾性湾曲部６ｂの基端部６ｃがハンガー本体２の上部４端部を支点に弾性変形しつつ湾曲して、フック３の切欠開口部５を全開となるように開放し、フック３の係合空間９から竿体Ｍの抜去を容易に行うことができる効果がある。
【００４８】
［衣類用ハンガーの変形例１］
本発明に係る衣類用ハンガーの実施形態の変形例１について図１０及び図１１を参照しながら説明する。上述した衣類用ハンガー１と以下の衣類用ハンガー１１との異なる点は、竿体挟持杆の弾性湾曲部及びフック内周面に、竿体の周面と同じ曲率を有する窪み部が形成された点である。なお、以下の衣類用ハンガー１１の説明では、上記衣類用ハンガー１と同一の構成部分に同一符号を付して重複説明を省略する。
【００４９】
図１０及び図１１に示すように、フック３の内周面には、その頂部位置に竿体Ｍの周面と同じ曲率を有する窪み部３ｄが形成されている。また、竿体Ｍを挟持する竿体挟持杆６の弾性湾曲部６ｂにも竿体Ｍの周面と同じ曲率を有する窪み部６ｄが形成されている。すなわち、竿体Ｍにフック３を取り付けた際に、両窪み部３ｄ，６ｄは、フック内周面及び竿体挟持杆６の弾性湾曲部６ｂにおける対向する位置にそれぞれ設けている。
【００５０】
このような窪み部３ｄ，６ｄをフック３及び竿体挟持杆６にそれぞれ形成することにより、竿体Ｍにフック３を取り付けた際に、一方の窪み部３ｄに竿体Ｍの上面が嵌着すると共に窪み部６ｄに竿体Ｍの下面が嵌着するため、嵌着状態を強固に維持することができる効果がある。
【００５１】
さらに、窪み部３ｄが設けられたフック３の内周面の箇所にはフック３の幅が薄く形成されているが、この窪み部３ｄが設けられたフックの幅を、フックの他の箇所の幅と同一にするようにしてもよい。すなわち、窪み部３ｄに対応したフックの外周面を膨出して膨出部を形成するようにしてもよい。
【００５２】
上記実施例において、窪み部をフック及び竿体挟持杆の両方に設けたが、フック又は竿体挟持杆のどちらか一方に窪み部を設けるようにしてもよい。
【００５３】
［衣類用ハンガーの変形例２］
本発明に係る衣類用ハンガーの実施形態の変形例２について図１２を参照しながら説明する。上述した衣類用ハンガー１と以下の衣類用ハンガー２１との異なる点は、竿体挟持杆の弾性湾曲部に、突部が形成された点である。なお、以下の衣類用ハンガー２１の説明では、上記衣類用ハンガー１と同一の構成部分に同一符号を付して重複説明を省略する。
【００５４】
図１２に示すように、竿体挟持杆６の弾性湾曲部６ｂには、竿体Ｍの下面の位置決めを行うための突部６ｅ，６ｅが形成されている。すなわち、突部６ｅ，６ｅは、竿体Ｍの下面を挟持すべく所定間隔を設けて弾性湾曲部６ｂに配設されている。
【００５５】
このような突部６ｅ，６ｅを竿体挟持杆６にそれぞれ形成することにより、竿体Ｍにフック３を取り付けた際に、両突部６ｅ，６ｅ間に竿体Ｍの下面が挟持されるため、竿体Ｍの下面の竿体挟持杆６への位置決めができ、より係合状態を強固に維持することができる効果がある。
【００５６】
上記実施例において、フック及び／又は竿体挟持杆に窪み部を設けて、さらに、竿体挟持杆に突部を設けるようにしてもよい。
【００５７】
なお、ハンガー本体２の形状については、特に本実施形態の形状に限定する必要はなく、例えば、連結部２ｃを除いた左右肩部２ａ，２ｂを上部４に連設したものでもよい。
【００５８】
なお、本発明を実施形態を通して説明したが、本発明は実施形態に限定されるものではなく、特許請求の範囲の主旨を逸脱することのない限り、各構成要素の形状のレイアウトなどは適宜変更することができる。
【符号の説明】
【００５９】
Ｍ  竿体
１，１１，２１  衣類用ハンガー
２  ハンガー本体
３  フック
４  上部
５  切欠開口部
６  竿体挟持杆
６ａ  先端部
６ｂ  弾性湾曲部
９  係合空間
【図１】
2011239826.tif 000003
【図２】
2011239826.tif 000004
【図３】
2011239826.tif 000005
【図４】
2011239826.tif 000006
【図５】
2011239826.tif 000007
【図６】
2011239826.tif 000008
【図７】
2011239826.tif 000009
【図８】
2011239826.tif 000010
【図９】
2011239826.tif 000011
【図１０】
2011239826.tif 000012
【図１１】
2011239826.tif 000013
【図１２】
2011239826.tif 000014